(57)【要約】【課題】タッチパネルを備えた入力システムの操作性を向上させることができる入力システムを提供すること。【解決手段】入力システム１は、前方表示画面と後方表示画面とを重畳的に表示可能である表示部１１と、表示部１１の前方に重畳配置された接触検出面１０ａを有するタッチパネル１０と、接触検出面１０ａで検出された入力の種別を判定する判定部１２ａと、画面の種別を特定する画面種別情報と、各種別の画面に対応して受け付け可能な入力の種別を特定する入力種別情報とを、相互に関連付けて格納する入力種別テーブル１３ａと、判定部１２ａにより判定された前記入力の種別が、前方表示画面に表示された画面に対応する入力として受け付け可能な種別か否か、及び、後方表示画面に表示された画面に対応する入力として受け付け可能な種別か否かを判定し、当該判定結果に基づき、前方表示画面に表示された画面に対応する入力、又は後方表示画面に表示された画面に対応する入力のいずれか一方を受け付ける入力制御部１２ｂとを備える。【選択図】図１
2013131190.tif 000002
【特許請求の範囲】
【請求項１】
前方表示画面と後方表示画面とを重畳的に表示可能である表示手段と、
前記表示手段の前方に重畳配置された接触検出面を有する入力手段と、
前記接触検出面で検出された入力の種別を判定する判定手段と、
画面の種別を特定する画面種別情報と、各種別の画面に対応して受け付け可能な入力の種別を特定する入力種別情報とを、相互に関連付けて格納する入力種別情報格納手段と、
前記前方表示画面に表示された画面の種別に対応する画面種別情報と、前記後方表示画面に表示された画面の種別に対応する画面種別情報と、前記判定手段により判定された前記入力の種別に対応する入力種別情報とに基づき、前記判定手段により判定された前記入力の種別が、前記前方表示画面に表示された画面に対応する入力として受け付け可能な種別か否か、及び、前記後方表示画面に表示された画面に対応する入力として受け付け可能な種別か否かを判定し、当該判定結果に基づき、前記前方表示画面に表示された画面に対応する入力、又は前記後方表示画面に表示された画面に対応する入力のいずれか一方を受け付ける入力制御手段と、
を備える入力システム。
【請求項２】
前記入力制御手段は、前記判定手段により判定された前記入力の種別が、前記前方表示画面に対応する入力として受け付け可能な種別であり、且つ、前記後方表示画面に対応する入力として受け付け可能な種別である場合、前記前方表示画面に対応する入力を受け付ける、
請求項１に記載の入力システム。
【請求項３】
前記入力制御手段は、前記前方表示画面に対応する入力を受け付ける前方入力領域を前記接触検出面に設定し、前記接触検出面で検出された接触位置が前記前方入力領域外である場合、前記後方表示画面に対応する入力を受け付ける、
請求項１又は２に記載の入力システム。
【請求項４】
前記表示手段は、前方ディスプレイと後方ディスプレイが距離を隔てて重畳配置され、前記前方ディスプレイに前記前方表示画面を表示可能であって、前記前方ディスプレイを通して視認可能な前記後方ディスプレイに前記後方表示画面を表示可能であり、
前記入力手段の接触検出面は、前記前方ディスプレイの前方に重畳配置され、
前記入力制御手段は、前記前方ディスプレイに表示された前記前方表示画面の種別に対応する画面種別情報と、前記後方ディスプレイに表示された前記後方表示画面の種別に対応する画面種別情報と、前記判定手段により判定された前記入力の種別に対応する入力種別情報とに基づき、前記判定手段により判定された前記入力の種別が、前記前方ディスプレイに表示された前記前方表示画面に対応する入力として受け付け可能な種別か否か、及び、前記後方ディスプレイに表示された前記後方表示画面に対応する入力として受け付け可能な種別か否かを判定し、当該判定結果に基づき、前記前方ディスプレイに表示された前記前方表示画面に対応する入力、又は前記後方ディスプレイに表示された前記後方表示画面に対応する入力のいずれか一方を受け付ける、
請求項１から３のいずれか一項に記載の入力システム。
【請求項５】
前方表示画面と後方表示画面とを重畳的に表示可能である表示手段を用いて表示を行う表示ステップと、
前記表示手段の前方に重畳配置された接触検出面を有する入力手段を用いて入力の受け付けを行う入力ステップと、
前記接触検出面で検出された入力の種別を判定する判定ステップと、
画面の種別を特定する画面種別情報と、各種別の画面に対応して受け付け可能な入力の種別を特定する入力種別情報とを、相互に関連付けて格納する入力種別情報格納ステップと、
前記前方表示画面に表示された画面の種別に対応する画面種別情報と、前記後方表示画面に表示された画面の種別に対応する画面種別情報と、前記判定ステップで判定された前記入力の種別に対応する入力種別情報とに基づき、前記判定ステップで判定された前記入力の種別が、前記前方表示画面に表示された画面に対応する入力として受け付け可能な種別か否か、及び、前記後方表示画面に表示された画面に対応する入力として受け付け可能な種別か否かを判定し、当該判定結果に基づき、前記前方表示画面に表示された画面に対応する入力、又は前記後方表示画面に表示された画面に対応する入力のいずれか一方を受け付ける入力制御ステップと、
を含む入力方法。
【請求項６】
請求項５に記載の方法をコンピュータに実行させる入力プログラム。
【発明の詳細な説明】
【技術分野】
【０００１】
本発明は、入力システム、入力方法、及び入力プログラムに関する。
【背景技術】
【０００２】
従来、複数の液晶パネルを重畳配置して構成した多層表示装置（ＭＬＤ：Ｍｕｌｔｉ  Ｌａｙｅｒ  Ｄｉｓｐｌａｙ）が知られている。例えば、２枚の液晶パネルを重畳配置して構成したデュアルスクリーンディスプレイにおいて、後方スクリーン上に配置されている所定のターゲット画像要素と前方スクリーン上の画像要素とが重なる交差領域について前方スクリーンを透明にすることで、後方スクリーンに表示されるターゲット画像要素が見えるようにする方法が提案されている（例えば、特許文献１参照）。
【先行技術文献】
【特許文献】
【０００３】
【特許文献１】特表２００９−５１７６９８号公報
【発明の概要】
【発明が解決しようとする課題】
【０００４】
ところで、上述の如き従来の多層表示装置における最前方のスクリーンの前面においてタッチパネルを重畳配置し、当該タッチパネルの接触検出面において各スクリーンに表示された操作画像に対応する位置で入力を受け付けることが考えられる。ここで、接触検出面で検出された接触位置に対応して、複数のスクリーンに操作画像が表示されている場合、いずれのスクリーンの操作画像に対応する入力であるのかを判別できない可能性があった。すなわち上述の如き従来の方法は、交差領域について前方スクリーンを透明にすることで、後方スクリーンに表示されるターゲット画像要素が見えるようにするものに過ぎず、複数のスクリーンに操作画像が表示されている場合においていずれのスクリーンの操作画像に対応する入力であるのかを判別することが困難であった。このように従来の多層表示装置においては、操作性にさらなる向上の余地があった。
【０００５】
本発明は、上記に鑑みてなされたものであって、タッチパネルを備えた入力システムにおける操作性を向上させることができる、入力システム、入力方法、及び入力プログラムを提供することを目的とする。
【課題を解決するための手段】
【０００６】
上述した課題を解決し、目的を達成するために、請求項１に記載の入力システムは、前方表示画面と後方表示画面とを重畳的に表示可能である表示手段と、前記表示手段の前方に重畳配置された接触検出面を有する入力手段と、前記接触検出面で検出された入力の種別を判定する判定手段と、画面の種別を特定する画面種別情報と、各種別の画面に対応して受け付け可能な入力の種別を特定する入力種別情報とを、相互に関連付けて格納する入力種別情報格納手段と、前記前方表示画面に表示された画面の種別に対応する画面種別情報と、前記後方表示画面に表示された画面の種別に対応する画面種別情報と、前記判定手段により判定された前記入力の種別に対応する入力種別情報とに基づき、前記判定手段により判定された前記入力の種別が、前記前方表示画面に表示された画面に対応する入力として受け付け可能な種別か否か、及び、前記後方表示画面に表示された画面に対応する入力として受け付け可能な種別か否かを判定し、当該判定結果に基づき、前記前方表示画面に表示された画面に対応する入力、又は前記後方表示画面に表示された画面に対応する入力のいずれか一方を受け付ける入力制御手段とを備える。
【０００７】
また、請求項２に記載の入力システムは、請求項１に記載の入力システムにおいて、前記入力制御手段は、前記判定手段により判定された前記入力の種別が、前記前方表示画面に対応する入力として受け付け可能な種別であり、且つ、前記後方表示画面に対応する入力として受け付け可能な種別である場合、前記前方表示画面に対応する入力を受け付ける。
【０００８】
また、請求項３に記載の入力システムは、請求項１又は２に記載の入力システムにおいて、前記入力制御手段は、前記前方表示画面に対応する入力を受け付ける前方入力領域を前記接触検出面に設定し、前記接触検出面で検出された接触位置が前記前方入力領域外である場合、前記後方表示画面に対応する入力を受け付ける。
【０００９】
また、請求項４に記載の入力システムは、請求項１から３のいずれか一項に記載の入力システムにおいて、前記表示手段は、前方ディスプレイと後方ディスプレイが距離を隔てて重畳配置され、前記前方ディスプレイに前記前方表示画面を表示可能であって、前記前方ディスプレイを通して視認可能な前記後方ディスプレイに前記後方表示画面を表示可能であり、前記入力手段の接触検出面は、前記前方ディスプレイの前方に重畳配置され、前記入力制御手段は、前記前方ディスプレイに表示された前記前方表示画面の種別に対応する画面種別情報と、前記後方ディスプレイに表示された前記後方表示画面の種別に対応する画面種別情報と、前記判定手段により判定された前記入力の種別に対応する入力種別情報とに基づき、前記判定手段により判定された前記入力の種別が、前記前方ディスプレイに表示された前記前方表示画面に対応する入力として受け付け可能な種別か否か、及び、前記後方ディスプレイに表示された前記後方表示画面に対応する入力として受け付け可能な種別か否かを判定し、当該判定結果に基づき、前記前方ディスプレイに表示された前記前方表示画面に対応する入力、又は前記後方ディスプレイに表示された前記後方表示画面に対応する入力のいずれか一方を受け付ける。
【００１０】
また、請求項５に記載の入力方法は、前方表示画面と後方表示画面とを重畳的に表示可能である表示手段を用いて表示を行う表示ステップと、前記表示手段の前方に重畳配置された接触検出面を有する入力手段を用いて入力の受け付けを行う入力ステップと、前記接触検出面で検出された入力の種別を判定する判定ステップと、画面の種別を特定する画面種別情報と、各種別の画面に対応して受け付け可能な入力の種別を特定する入力種別情報とを、相互に関連付けて格納する入力種別情報格納ステップと、前記前方表示画面に表示された画面の種別に対応する画面種別情報と、前記後方表示画面に表示された画面の種別に対応する画面種別情報と、前記判定ステップで判定された前記入力の種別に対応する入力種別情報とに基づき、前記判定ステップで判定された前記入力の種別が、前記前方表示画面に表示された画面に対応する入力として受け付け可能な種別か否か、及び、前記後方表示画面に表示された画面に対応する入力として受け付け可能な種別か否かを判定し、当該判定結果に基づき、前記前方表示画面に表示された画面に対応する入力、又は前記後方表示画面に表示された画面に対応する入力のいずれか一方を受け付ける入力制御ステップとを含む。
【００１１】
また、請求項６に記載の入力プログラムは、請求項５に記載の方法をコンピュータに実行させる。
【発明の効果】
【００１２】
請求項１に記載の入力システム、請求項５に記載の入力方法、及び請求項６に記載の入力プログラムによれば、入力の種別が、前方表示画面に表示された画面に対応する入力として受け付け可能な種別か否か、及び、後方表示画面に表示された画面に対応する入力として受け付け可能な種別か否かを判定し、当該判定結果に基づき、前方表示画面に表示された画面に対応する入力、又は後方表示画面に表示された画面に対応する入力のいずれか一方を受け付けるので、入力を行いたい画面が表示されているディスプレイをユーザが指定しなくても、自動的に適切なディスプレイに表示された画面に対応する入力を受け付けることができ、タッチパネルを備えた入力システムにおける操作性を向上させることができる。
【００１３】
また、請求項２に記載の入力システムによれば、入力の種別が、前方表示画面に対応する入力として受け付け可能な種別であり、且つ、後方表示画面に対応する入力として受け付け可能な種別である場合、前方表示画面に対応する入力を受け付けるので、前方表示画面及び後方表示画面のどちらにも入力の対象としての可能性がある場合に、相対的にユーザに近いディスプレイに表示された画面に対応する入力を受け付けることができ、ユーザにとって直感的な操作を行うことができる。
【００１４】
また、請求項３に記載の入力システムによれば、接触検出面で検出された接触位置が前方入力領域外である場合、後方表示画面に対応する入力を受け付けるので、入力を行いたい画面が表示されているディスプレイをユーザが指定しなくても、入力の種別及び接触位置に応じて適切なディスプレイに表示された画面に対応する入力を受け付けることができ、タッチパネルを備えた入力システムにおける操作性を一層向上させることができる。
【００１５】
また、請求項４に記載の入力システムによれば、入力の種別が、前方ディスプレイに表示された前方表示画面に対応する入力として受け付け可能な種別か否か、及び、後方ディスプレイに表示された後方表示画面に対応する入力として受け付け可能な種別か否かを判定し、当該判定結果に基づき、前方ディスプレイに表示された前方表示画面に対応する入力、又は後方ディスプレイに表示された後方表示画面に対応する入力のいずれか一方を受け付けるので、前方ディスプレイと後方ディスプレイとを重畳配置して構成されたマルチレイヤーディスプレイ型の表示システムにおいて、操作性を一層向上させることができる。
【図面の簡単な説明】
【００１６】
【図１】実施の形態に係る入力システムを例示するブロック図である。
【図２】前方ディスプレイ及び後方ディスプレイの配置を概略的に示した斜視図である。
【図３】前方ディスプレイ及び後方ディスプレイの表示を例示した正面図であり、図３（ａ）は前方ディスプレイの表示を例示した図、図３（ｂ）は後方ディスプレイの表示を例示した図、図３（ｃ）は重畳配置された前方ディスプレイ及び後方ディスプレイの前方から見た場合の表示を例示した図である。
【図４】入力種別テーブルに格納されている情報を例示した表である。
【図５】入力処理のフローチャートである。
【図６】入力制御処理のフローチャートである。
【図７】前方ディスプレイ及び後方ディスプレイの表示を例示した正面図である。
【発明を実施するための形態】
【００１７】
以下、本発明に係る入力システム、入力方法、及び入力プログラムの実施の形態について図面を参照しつつ詳細に説明する。ただし、この実施の形態によって本発明が限定されるものではない。なお、本発明に係る入力システム、入力方法、及び入力プログラムは、任意の目的に使用することができるが、以下の実施の形態では、カーナビゲーションシステムに適用した例を示す。
【００１８】
（構成）
最初に、実施の形態に係る入力システムの構成について説明する。図１は実施の形態に係る入力システムを例示するブロック図である。この図１に示すように、入力システム１は、タッチパネル１０、表示部１１、制御部１２、及びデータ記録部１３を備えている。
【００１９】
（構成−タッチパネル）
タッチパネル１０は、後述する前方ディスプレイ１１ａの前方に重畳配置された接触検出面１０ａを有する入力手段である。このタッチパネル１０は、透明又は半透明状に形成され、前方ディスプレイ１１ａの前面において当該前方ディスプレイ１１ａの表示面と重なり合うように設けられている。このタッチパネル１０としては、例えば抵抗膜方式や静電容量方式等による接触検出面を備えた公知のタッチパネルを使用することができる。
【００２０】
（構成−表示部）
表示部１１は、制御部１２の制御に基づき、各種の情報を表示する表示手段であり、前方ディスプレイ１１ａ及び後方ディスプレイ１１ｂを備えている。これらの前方ディスプレイ１１ａ及び後方ディスプレイ１１ｂは、例えば公知の液晶ディスプレイや有機ＥＬディスプレイの如きフラットパネルディスプレイを用いて構成されている。
【００２１】
図２は、前方ディスプレイ１１ａ及び後方ディスプレイ１１ｂの配置を概略的に示した斜視図である。この図２に示すように、前方ディスプレイ１１ａと後方ディスプレイ１１ｂとは距離を隔てて重畳配置されている。ここで「前方」とは、前方ディスプレイ１１ａ及び後方ディスプレイ１１ｂにおける表示方向（図２における矢印の方向）を意味する。すなわち、後方ディスプレイ１１ｂにおける表示面側に、前方ディスプレイ１１ａが重畳配置されている。
【００２２】
前方ディスプレイ１１ａは後方ディスプレイ１１ｂの表示を透過可能なディスプレイ（例えば透明液晶ディスプレイや透明有機ＥＬディスプレイ）として構成されている。これにより、後方ディスプレイ１２の表示を前方ディスプレイ１１を通して視認可能である。すなわち、後方ディスプレイ１１ｂの表示を前方ディスプレイ１１ａを透過させて、若しくは、後方ディスプレイ１１ｂの表示を前方ディスプレイ１１ａの表示に重畳させて、表示可能である。
【００２３】
また、後方ディスプレイ１１ｂが液晶ディスプレイである場合、図２に示すように、後方ディスプレイ１１ｂを構成する液晶パネルの後方にバックライトが設けられる。このバックライトから発せられた光は、後方ディスプレイ１１ｂの液晶パネルを介して当該後方ディスプレイ１１ｂの前方に射出されて前方ディスプレイ１１ａに到達し、さらに前方ディスプレイ１１ａを介して当該前方ディスプレイ１１ａの前方に進行する。このように後方ディスプレイ１１ｂから前方ディスプレイ１１ａに入射する光を前方ディスプレイ１１ａのバックライトとして利用することで、前方ディスプレイ１１ａの表示が視認可能となる。なお、有機ＥＬディスプレイを用いて後方ディスプレイ１１ｂを構成した場合には、有機ＥＬディスプレイの各画素が自発光するため、バックライトは不要となる。
【００２４】
また、後方ディスプレイ１１ｂには、複数の表示レイヤー（ソフトレイヤー）をソフトウェアにより仮想的に重畳して表示することができる。例えば、図２に例示するように、後方ディスプレイ１１ｂにおいて仮想的に重畳された２つの表示レイヤー（最前方レイヤー及び後方レイヤー）を表示することができる。以下では、前方ディスプレイ１１ａに表示された画面（前方表示画面）と後方ディスプレイ１１ｂに表示された画面（後方表示画面）とを重畳表示させる場合について説明する。ただし、本発明は、ディスプレイを一つのみ備えた表示システムに適用することもできる。すなわち、当該ディスプレイにおいて、上記のように、前方の表示レイヤーに表示された画面（前方表示画面）と後方の表示レイヤーに表示された画面（後方表示画面）とをソフトウェアにより仮想的に重畳表示させてもよい。
【００２５】
図３は前方ディスプレイ１１ａ及び後方ディスプレイ１１ｂの表示を例示した正面図であり、図３（ａ）は前方ディスプレイ１１ａの表示を例示した図、図３（ｂ）は後方ディスプレイ１１ｂの表示を例示した図、図３（ｃ）は重畳配置された前方ディスプレイ１１ａ及び後方ディスプレイ１１ｂの前方から見た場合の表示を例示した図である。例えば図３（ａ）に示すように、前方ディスプレイ１１ａには各種アイコンを含むホーム画面が表示される。また、前方ディスプレイ１１ａにおけるアイコン以外の領域は透明になるように設定される（例えば前方ディスプレイ１１ａが液晶ディスプレイを用いて構成されている場合、アイコン以外の領域の色が「白」に設定される）。また、図３（ｂ）に示すように、後方ディスプレイ１１ｂには地図が表示される。この場合、図３（ｃ）に示すように、前方ディスプレイ１１ａにおけるアイコン以外の領域では後方ディスプレイ１１ｂに表示されている地図を前方ディスプレイ１１ａを透過させて表示可能となっている。また、前方ディスプレイ１１ａにおけるアイコンの領域では、後方ディスプレイ１１ｂに表示されている地図を前方ディスプレイ１１ａに表示されているアイコンに重畳させて表示可能となっている（すなわち、前方ディスプレイ１１ａのアイコンと後方ディスプレイ１１ｂの地図とが重なって見える）。
【００２６】
（構成−制御部）
図１に戻り、制御部１２は、入力システム１の各部を制御するための制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、本実施の形態に係る入力プログラムは、任意の記録媒体又はネットワークを介して入力システム１にインストールされることで、制御部１２の各部を実質的に構成する。
【００２７】
この制御部１２は、機能概念的に、判定部１２ａ、入力制御部１２ｂ、及び表示制御部１２ｃを備えている。判定部１２ａは、接触検出面１０ａで検出された入力の種別を判定する判定手段である。入力制御部１２ｂは、前方ディスプレイ１１ａに表示された画面に対応する入力、又は後方ディスプレイ１１ｂに表示された画面に対応する入力のいずれか一方を受け付けるための所定の制御を行う入力制御手段である。表示制御部１２ｃは、前方ディスプレイ１１ａ及び後方ディスプレイ１１ｂの表示制御を行う表示制御手段である。これらの制御部１２の各部によって実行される処理の詳細については後述する。
【００２８】
（構成−データ記録部）
データ記録部１３は、入力システム１の動作に必要なプログラム及び各種のデータを記録する記録手段であり、例えば、外部記憶装置としてのハードディスク（図示省略）の如き磁気的記録媒体を用いて構成されている。ただし、ハードディスクに代えてあるいはハードディスクと共に、フラッシュメモリの如き半導体型記憶媒体、又はＤＶＤやブルーレイディスクの如き光学的記録媒体を含む、その他の任意の記録媒体を用いることができる。
【００２９】
このデータ記録部１３は、入力種別テーブル１３ａを備えている。入力種別テーブル１３ａは、画面の種別を特定する画面種別情報と、各種別の画面に対応して受け付け可能な入力の種別を特定する入力種別情報とを、相互に関連付けて格納する入力種別情報格納手段である。図４は、入力種別テーブル１３ａに格納されている情報を例示した表である。この図４に示すように、入力種別テーブル１３ａには、項目「画面種別」及び「入力種別」に対応する情報が、相互に関連付けて格納されている。項目「画面種別」に対応して格納される情報は、画面の種別を特定する画面種別情報である。（図４では「ホーム」「オーディオ」等）。項目「入力種別」に対応して格納される情報は、前方ディスプレイ１１ａ又は後方ディスプレイ１１ｂに表示された操作画像に対応して受け付け可能な入力の種別を特定する入力種別情報である（図４では「スイッチの押下」「マルチタッチ」「なぞり」等）。
【００３０】
（処理）
次に、このように構成された入力システム１によって実行される入力処理について説明する。図５は入力処理のフローチャートである（以下の各処理の説明ではステップを「Ｓ」と略記する）。この入力処理は、例えばナビゲーションアプリケーションやＨＭＩ（Ｈｕｍａｎ  Ｍａｃｈｉｎｅ  Ｉｎｔｅｒｆａｃｅ）アプリケーション（いずれも図示省略）等により、前方ディスプレイ１１ａ及び後方ディスプレイ１１ｂの全体として何を表示するのかが決定された場合に、繰り返し実行される。
【００３１】
図５に示すように、入力処理が開始されると、表示制御部１２ｃは前方ディスプレイ１１ａの表示制御を行う（ＳＡ１）。例えば表示制御部１２ｃは、ナビゲーションアプリケーションやＨＭＩアプリケーションにより決定された表示の中で前方ディスプレイ１１ａに表示させるべき画像や文字等（図３の例ではアイコン）を、前方ディスプレイ１１ａの表示態様として決定する。ここで「表示態様」とは、前方ディスプレイ１１ａや後方ディスプレイ１１ｂにおける表示の状態や内容を含む概念であり、より詳細には、前方ディスプレイ１１ａや後方ディスプレイ１１ｂにおける表示の明度、色、形状、種別や、当該表示としての画像、文字、情報等の内容を含む。そして、当該決定した表示態様に含まれる画像や文字等の画像データをデータ記録部１３から取得し、各画像データを前方ディスプレイ１１ａの所定の位置に表示するための表示データを生成する。このように生成した表示データに基づき、前方ディスプレイ１１ａの表示制御を行う。
【００３２】
続いて表示制御部１２ｃは、後方ディスプレイ１１ｂの表示制御を行う（ＳＡ２）。例えば表示制御部１２ｃは、ナビゲーションアプリケーションやＨＭＩアプリケーションにより決定された表示の中で後方ディスプレイ１１ｂに表示させるべき画像や文字等（図３の例では地図）を、後方ディスプレイ１１ｂの表示態様として決定する。そして、当該決定した表示態様に含まれる画像や文字等の画像データをデータ記録部１３から取得し、各画像データを後方ディスプレイ１１ｂの所定の位置に表示するための表示データを生成する。このように生成した表示データに基づき、後方ディスプレイ１１ｂの表示制御を行う。
【００３３】
次に入力制御部１２ｂは、前方ディスプレイ１１ａに表示された画面に対応する入力を受け付ける前方入力領域を、接触検出面１０ａに設定する（ＳＡ３）。ここで「画面」とは、タッチパネル１０を介した入力操作の対象となる単数又は複数の操作画像を含む画面である。なお「操作画像」としては、例えばタッチパネル１０を介した押下操作の対象となる各種アイコンやスイッチ等の画像の他、タッチパネル１０を介したフリック操作や拡大・縮小操作等の対象となる地図や写真等の画像も含まれ得る。例えばナビゲーションアプリケーションやＨＭＩアプリケーションが前方ディスプレイ１１ａ及び後方ディスプレイ１１ｂの全体として何を表示するのかを決定する際に、これらのアプリケーションにより、前方ディスプレイ１１ａや後方ディスプレイ１１ｂに表示させる画面が決定され、各画面を特定する情報が表示システムに入力される。このようにして入力された情報と、ＳＡ１で表示制御部１２ｃにより生成された表示データとに基づき、入力制御部１２ｂは、前方ディスプレイ１１ａに表示される画面を特定する（図３の例ではホーム画面）。そして、特定した画面に対応する接触検出面１０ａ上の領域（図３の例ではホーム画面の各アイコンと重なる領域）を、当該画面に対応する入力を受け付ける前方入力領域として設定する。操作画像が複数存在する場合には、各操作画像に対応する複数の前方入力領域を設定してもよい。
【００３４】
続いて入力制御部１２ｂは、後方ディスプレイ１１ｂに表示された画面に対応する入力を受け付ける後方入力領域を、接触検出面１０ａに設定する（ＳＡ４）。例えば入力制御部１２ｂは、ナビゲーションアプリケーションやＨＭＩアプリケーションにより入力された各画面を特定する情報と、ＳＡ１で表示制御部１２ｃにより生成された表示データとに基づき、後方ディスプレイ１１ｂに表示される画面を特定する（図３の例では地図）。そして、特定した画面に対応する接触検出面１０ａ上の領域（例えば地図と重なる領域）を、当該画面に対応する入力を受け付ける後方入力領域として設定する。なお本実施の形態では、後方ディスプレイ１１ｂの全体に画面（例えば地図）が表示され、当該画面と重なる接触検出面１０ａの全領域が後方入力領域として設定されるものとする。
【００３５】
次に入力制御部１２ｂは、前方ディスプレイ１１ａや後方ディスプレイ１１ｂに表示された画面に対応する入力の受け付けを制御するための入力制御処理を実行する（ＳＡ５）。
【００３６】
（処理−入力制御処理）
ここで、入力制御処理について説明する。図６は入力制御処理のフローチャートである。
【００３７】
図６に示すように、入力制御処理が開始されると、入力制御部１２ｂは、前方ディスプレイ１１ａに表示された画面の種別、及び後方ディスプレイ１１ｂに表示された画面の種別を特定する（ＳＢ１）。例えば入力制御部１２ｂは、ナビゲーションアプリケーションやＨＭＩアプリケーションにより入力された各画面を特定する情報と、ＳＡ１及びＳＡ２で表示制御部１２ｃにより生成された表示データとに基づき、前方ディスプレイ１１ａ及び後方ディスプレイ１１ｂに表示された画面の種別を特定する。図７は、前方ディスプレイ１１ａ及び後方ディスプレイ１１ｂの表示を例示した正面図である。この図７の例では、前方ディスプレイ１１ａに表示された画面の種別として「オーディオ」が特定され、後方ディスプレイ１１ｂに表示された画面の種別として「地図」が特定される。
【００３８】
図６に戻り、入力制御部１２ｂは、タッチパネル１０の接触検出面１０ａにおいて接触が検出されるまで待機する（ＳＢ２、Ｎｏ）。そして、タッチパネル１０の接触検出面１０ａにおいて接触が検出された場合（ＳＢ２、Ｙｅｓ）、接触検出面１０ａで検出された接触位置が前方入力領域か否かを判定する（ＳＢ３）。すなわち入力制御部１２ｂは、接触検出面１０ａにおける検出位置を示す座標が、図５のＳＡ３で設定された前方入力領域内に含まれているか否かを判定する。図７の例では、接触検出面１０ａにおいて、オーディオ画面と重なる領域（あるいはオーディオ画面のスイッチやスライダと重なる領域）が前方入力領域として設定され、地図と重なる領域が後方入力領域として設定されている。従って、ＳＢ１において接触検出面１０ａで検出された接触位置がオーディオ画面と重なる領域（あるいはオーディオ画面のスイッチやスライダと重なる領域）である場合、入力制御部１２ｂは、接触検出面１０ａで検出された接触位置が前方入力領域であると判定する。
【００３９】
図６に戻り、接触検出面１０ａで検出された接触位置が前方入力領域である場合（ＳＢ３、Ｙｅｓ）、すなわち接触検出面１０ａにおける検出位置を示す座標が図５のＳＡ３で設定された前方入力領域内に含まれている場合、判定部１２ａは、接触検出面１０ａで検出された入力の種別を判定する（ＳＢ４）。例えば判定部１２ａは、接触検出面１０ａで検出された入力の種別が、スイッチの押下、なぞり、フリック、又はマルチタッチのいずれに該当するのかを判定する。
【００４０】
次に入力制御部１２ｂは、判定部１２ａにより判定された入力の種別が、前方ディスプレイ１１ａに表示された画面に対応する入力として受け付け可能な種別であり、且つ、後方ディスプレイ１１ｂに表示された画面に対応する入力として受け付け可能な種別であるか否かを判定する（ＳＢ５）。すなわち入力制御部１２ｂは入力種別テーブル１３ａを参照し、ＳＢ１で特定した前方ディスプレイ１１ａに表示された画面の種別に対応する入力種別情報と、ＳＢ１で特定した後方ディスプレイ１１ｂに表示された画面の種別に対応する入力種別情報とを取得する。そして、前方ディスプレイ１１ａに表示された画面の種別に対応する入力種別情報と、後方ディスプレイ１１ｂに表示された画面の種別に対応する入力種別情報とのそれぞれに、ＳＢ４で判定部１２ａにより判定された入力の種別に対応する入力種別情報が含まれている場合、ＳＢ４で判定部１２ａにより判定された入力の種別が、前方ディスプレイ１１ａに表示された画面に対応する入力として受け付け可能な種別であり、且つ、後方ディスプレイ１１ｂに表示された画面に対応する入力として受け付け可能な種別であると判定する。
【００４１】
図４の例では、ＳＢ１で特定した前方ディスプレイ１１ａに表示された画面の種別が「オーディオ」である場合、対応する入力種別情報として「スイッチの押下」及び「なぞり」が取得される。また、ＳＢ１で特定した後方ディスプレイ１１ｂに表示された画面の種別が「地図」である場合、対応する入力種別情報として「マルチタッチ」「フリック」及び「なぞり」が取得される。この場合において、ＳＢ４で判定した入力の種別に対応する入力種別情報が「なぞり」である場合、当該入力種別情報は、前方ディスプレイ１１ａに表示された画面の種別に対応する入力種別情報と、後方ディスプレイ１１ｂに表示された画面の種別に対応する入力種別情報とのそれぞれに含まれていることから、ＳＢ４で判定部１２ａにより判定された入力の種別が、前方ディスプレイ１１ａに表示された画面に対応する入力として受け付け可能な種別であり、且つ、後方ディスプレイ１１ｂに表示された画面に対応する入力として受け付け可能な種別であると判定される。
【００４２】
図６に戻り、ＳＢ５の判定の結果、ＳＢ４で判定部１２ａにより判定された入力の種別が、前方ディスプレイ１１ａに表示された画面に対応する入力として受け付け可能な種別であり、且つ、後方ディスプレイ１１ｂに表示された画面に対応する入力として受け付け可能な種別である場合（ＳＢ５、Ｙｅｓ）、入力制御部１２ｂは、接触検出面１０ａで検出された接触を、前方ディスプレイ１１ａに表示された画面に対応する入力として受け付ける（ＳＢ６）。このように、前方ディスプレイ１１ａに表示された画面及び後方ディスプレイ１１ｂに表示された画面のどちらにも入力の対象としての可能性がある場合、接触検出面１０ａで検出された接触を、前方ディスプレイ１１ａに表示された画面に対応する入力として受け付けることで、結果的に前方ディスプレイ１１ａに表示された画面に対応する入力を優先させることとし、相対的にユーザに近いディスプレイに表示された画面を用いた直感的な操作を行うことを可能としている。ただし、前方ディスプレイ１１ａに表示された画面及び後方ディスプレイ１１ｂに表示された画面のどちらにも入力の対象としての可能性がある場合、後方ディスプレイ１１ｂに表示された画面に対応する入力として受け付けるようにしてもよく、あるいはどのディスプレイに表示された画面に対応する入力であるのかをユーザに問い合わせる問い合わせ画面を出力する等してもよい。
【００４３】
図４及び図７の例では、ＳＢ２において接触検出面１０ａで検出された接触位置がオーディオ画面のスライダと重なる領域であり、ＳＢ４で判定部１２ａにより判定された入力の種別が「なぞり」である場合、当該入力の種別は前方ディスプレイ１１ａに表示された画面（すなわちオーディオ画面）に対応する入力として受け付け可能な種別であり、且つ、後方ディスプレイ１１ｂに表示された画面（すなわち地図）に対応する入力として受け付け可能な種別であることから、入力制御部１２ｂは、接触検出面１０ａで検出された接触を、前方ディスプレイ１１ａに表示された画面に対応する入力（例えばスライダを動かす入力）として受け付ける。
【００４４】
図６に戻り、ＳＢ６の処理の後、入力制御部１２ｂは、ＳＢ６で受け付けた入力に対応する処理を実行する（ＳＢ７）。例えば図７の例でオーディオ画面に対応する入力（例えばスライダを動かす入力）が受け付けられた場合、入力制御部１２ｂは当該入力に対応する処理を実行する（例えば音量を変更する処理）。その後、入力制御部１２ｂは入力制御処理を終了し、メインルーチンに戻る。
【００４５】
図６に戻り、ＳＢ５の判定の結果、ＳＢ４で判定部１２ａにより判定された入力の種別が、前方ディスプレイ１１ａに表示された画面に対応する入力として受け付け可能な種別ではないか、又は、後方ディスプレイ１１ｂに表示された画面に対応する入力として受け付け可能な種別ではない場合（ＳＢ５、Ｎｏ）、入力制御部１２ｂは、判定部１２ａにより判定された入力の種別が、前方ディスプレイ１１ａに表示された画面に対応する入力として受け付け可能な種別であるか否かを判定する（ＳＢ８）。すなわち入力制御部１２ｂは入力種別テーブル１３ａを参照し、ＳＢ１で特定した前方ディスプレイ１１ａに表示された画面の種別に対応する入力種別情報を取得する。そして、前方ディスプレイ１１ａに表示された画面の種別に対応する入力種別情報に、ＳＢ４で判定した入力の種別に対応する入力種別情報が含まれている場合、ＳＢ４で判定部１２ａにより判定された入力の種別が、前方ディスプレイ１１ａに表示された画面に対応する入力として受け付け可能な種別であると判定する。
【００４６】
ＳＢ８の判定の結果、ＳＢ４で判定部１２ａにより判定された入力の種別が、前方ディスプレイ１１ａに表示された画面に対応する入力として受け付け可能な種別である（ＳＢ８、Ｙｅｓ）、入力制御部１２ｂは、接触検出面１０ａで検出された接触を、前方ディスプレイ１１ａに表示された画面に対応する入力として受け付ける（ＳＢ６）。図４及び図７の例では、ＳＢ２において接触検出面１０ａで検出された接触位置がオーディオ画面のスイッチと重なる領域であり、ＳＢ４で判定部１２ａにより判定された入力の種別が「スイッチの押下」である場合、当該入力の種別は前方ディスプレイ１１ａに表示された画面（すなわちオーディオ画面）に対応する入力として受け付け可能な種別であることから、入力制御部１２ｂは、接触検出面１０ａで検出された接触を、前方ディスプレイ１１ａに表示された画面に対応する入力（例えばオーディオ画面のスイッチを押下する入力）として受け付ける。
【００４７】
図６に戻り、ＳＢ８の判定の結果、ＳＢ４で判定部１２ａにより判定された入力の種別が、前方ディスプレイ１１ａに表示された画面に対応する入力として受け付け可能な種別ではない場合（ＳＢ８、Ｎｏ）、入力制御部１２ｂは、接触検出面１０ａで検出された接触を、後方ディスプレイ１１ｂに表示された画面に対応する入力として受け付ける（ＳＢ９）。図４及び図７の例では、ＳＢ２において接触検出面１０ａで検出された接触位置がオーディオ画面と重なる領域であり、ＳＢ４で判定部１２ａにより判定された入力の種別が「マルチタッチ」である場合、当該入力の種別は前方ディスプレイ１１ａに表示された画面（すなわちオーディオ画面）に対応する入力として受け付け可能な種別ではなく、後方ディスプレイ１１ｂに表示された画面（すなわち「地図」）に対応する入力として受け付け可能な種別であることから、入力制御部１２ｂは、接触検出面１０ａで検出された接触を、後方ディスプレイ１１ｂに表示された画面に対応する入力（例えば地図を拡大又は縮小させるためのマルチタッチ等）として受け付ける。
【００４８】
図６に戻り、ＳＢ３において、接触検出面１０ａで検出された接触位置が前方入力領域ではない場合（ＳＢ３、Ｎｏ）、すなわち接触検出面１０ａにおける検出位置を示す座標が図５のＳＡ３で設定された前方入力領域内に含まれていない場合、接触検出面１０ａで検出された接触位置が後方入力領域であるものとし、入力制御部１２ｂは、接触検出面１０ａで検出された接触を、後方ディスプレイ１１ｂに表示された画面に対応する入力として受け付ける（ＳＢ９）。図４及び図７の例では、ＳＢ２において接触検出面１０ａで検出された接触位置がオーディオ画面と重ならない領域である場合、すなわち接触位置が地図のみと重なる領域である場合、入力制御部１２ｂは、接触検出面１０ａで検出された接触を、後方ディスプレイ１１ｂに表示された画面に対応する入力（例えば地図を移動させるためのなぞり入力等）として受け付ける。
【００４９】
図６に戻り、ＳＢ９の処理の後、入力制御部１２ｂは、ＳＢ９で受け付けた入力に対応する処理を実行する（ＳＢ７）。例えば図７の例で地図に対応する入力が受け付けられた場合、入力制御部１２ｂは当該地図に対応する処理を実行する（例えば地図の移動、拡大、縮小等）。その後、入力制御部１２ｂは入力制御処理を終了し、メインルーチンに戻る。
【００５０】
図５に戻り、ＳＡ５で入力制御処理を実行した後、制御部１２は入力処理を終了する。
【００５１】
（効果）
このように実施の形態によれば、入力の種別が、前方表示画面に表示された画面に対応する入力として受け付け可能な種別か否か、及び、後方表示画面に表示された画面に対応する入力として受け付け可能な種別か否かを判定し、当該判定結果に基づき、前方表示画面に表示された画面に対応する入力、又は後方表示画面に表示された画面に対応する入力のいずれか一方を受け付けるので、入力を行いたい画面が表示されているディスプレイをユーザが指定しなくても、自動的に適切なディスプレイに表示された画面に対応する入力を受け付けることができ、タッチパネル１０を備えた入力システム１における操作性を向上させることができる。
【００５２】
また、入力の種別が、前方表示画面に対応する入力として受け付け可能な種別であり、且つ、後方表示画面に対応する入力として受け付け可能な種別である場合、前方表示画面に対応する入力を受け付けるので、前方表示画面及び後方表示画面のどちらにも入力の対象としての可能性がある場合に、相対的にユーザに近いディスプレイに表示された画面に対応する入力を受け付けることができ、ユーザにとって直感的な操作を行うことができる。
【００５３】
また、接触検出面１０ａで検出された接触位置が前方入力領域外である場合、後方表示画面に対応する入力を受け付けるので、入力を行いたい画面が表示されているディスプレイをユーザが指定しなくても、入力の種別及び接触位置に応じて適切なディスプレイに表示された画面に対応する入力を受け付けることができ、タッチパネル１０を備えた入力システム１における操作性を一層向上させることができる。
【００５４】
また、入力の種別が、前方ディスプレイ１１ａに表示された前方表示画面に対応する入力として受け付け可能な種別か否か、及び、後方ディスプレイ１１ｂに表示された後方表示画面に対応する入力として受け付け可能な種別か否かを判定し、当該判定結果に基づき、前方ディスプレイ１１ａに表示された前方表示画面に対応する入力、又は後方ディスプレイ１１ｂに表示された後方表示画面に対応する入力のいずれか一方を受け付けるので、前方ディスプレイ１１ａと後方ディスプレイ１１ｂとを重畳配置して構成されたマルチレイヤーディスプレイ型の表示システムにおいて、操作性を一層向上させることができる。
【００５５】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００５６】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。
【００５７】
（表示システムについて）
上述の実施の形態では、前方ディスプレイ１１ａと後方ディスプレイ１１ｂが距離を隔てて重畳配置された表示システム１について説明したが、このような２枚のディスプレイを重畳配置する場合に限らず、３枚以上の複数のディスプレイが距離を隔てて重畳配置された表示システムにも本発明を同様に適用することができる。
【００５８】
（入力制御処理について）
上述の実施の形態では、図６の入力制御処理のＳＢ３において、接触検出面１０ａで検出された接触位置が前方入力領域か否かを判定する場合を例として説明したが、このＳＢ３の処理を省略し、接触検出面１０ａで検出された接触位置が前方入力領域か否かに関わらず、前方ディスプレイ１１ａ及び後方ディスプレイ１１ｂに表示された画面の種別と、接触検出面１０ａで検出された入力の種別とに基づき、前方ディスプレイ１１ａに表示された画面に対応する入力、又は後方ディスプレイ１１ｂに表示された画面に対応する入力のいずれか一方を受け付けるための所定の制御を行うようにしてもよい。
【符号の説明】
【００５９】
１  入力システム
１０  タッチパネル
１０ａ  接触検出面
１１  表示部
１１ａ  前方ディスプレイ
１１ｂ  後方ディスプレイ
１２  制御部
１２ａ  判定部
１２ｂ  入力制御部
１２ｃ  表示制御部
１３  データ記録部
１３ａ  入力種別テーブル
【図１】
2013131190.tif 000003
【図２】
2013131190.tif 000004
【図３】
2013131190.tif 000005
【図４】
2013131190.tif 000006
【図５】
2013131190.tif 000007
【図６】
2013131190.tif 000008
【図７】
2013131190.tif 000009